(57)【要約】【課題】  従来の携帯照明装置は、手で持つか、もしくは身につけるためには、クリップなどを設けて帽子、衣服のポケット部分、ズボンのベルト等に取り付ける必要があり、服装等に制約があった。【解決手段】  電池保持部１内の固定部を軸として光源保持部２が回転すると共に、回転角度の一定の範囲で接触することにより電源をオンする首掛け用としたので、服装等の制約もなく、１ステップで電源をオンすることができる優れた首掛け用照明装置を提供できる。【選択図】  図１
2005243538.tif 000002
【特許請求の範囲】
【請求項１】
電源である電池と、前記電池を保持する電池保持部と、照射用の光源と、照射用の光源を保持する光源保持部と、首掛け用紐部と、前記電池保持部内にあり前記光源保持部を保持する固定部とから構成され、前記固定部を軸として前記光源保持部が回転すると共に、前記固定部と前記光源保持部にそれぞれ設けられた導電板が回転角度の一定の範囲で接触することにより電源をオンすることを特徴とする首掛け用照明装置。
【請求項２】
光源としてＬＥＤを用いたことを特徴とする請求項１記載の首掛け用照明装置。
【請求項３】
光源保持部が固定部を軸として３６０度回転することを特徴とする請求項１記載の首掛け用照明装置。
【請求項４】
首掛け用紐部に軟質素材を使用していることを特徴とする請求項１記載の首掛け用照明装置。
【請求項５】
首掛け用紐部が電池保持部を包み込むように配置したことを特徴とする請求項１記載の首掛け用照明装置。
【請求項６】
光源保持部の回転角度に応じて光源の明るさを可変としたことを特徴とする請求項１記載の首掛け用照明装置。
【発明の詳細な説明】
【技術分野】
【０００１】
本発明は、電池を電源とする照明装置に関するものである。
【背景技術】
【０００２】
従来の携帯用照明装置は、電池を電源として、照明具本体と、照明具本体を取付られる連結部材を一体に有したクリップ部から構成されるものなどがあった。これらは、クリップ部を帽子、衣服等に取り付けて使うものが主流であった。（例えば、特許文献1参照）
【特許文献１】特開２０００−２０５２４２号公報
【発明の開示】
【発明が解決しようとする課題】
【０００３】
しかしながら、上記従来の構成ではクリップを帽子、衣服のポケット部分、ズボンのベルト部分に取りつける必要があり、使用者が上記の様な取りつけ部を持たない服装であった場合、装着する場所がなく使えないという課題がある。また取り付けられたとしてもクリップの装着対象物が軟質の布の様なものの場合、照射方向が定まらず使い勝手が悪いと言う課題がある。
【０００４】
更に、電源をオンにしてから照射角度を決める２ステップの動作を必要とし、煩わしかった。
【０００５】
本発明は、前記従来の課題を解決するもので、首から掛けて使用可能であり、１ステップで電源をオンにするとともに照射角度を決めることができる首掛け用照明装置を提供することを目的とする。
【課題を解決するための手段】
【０００６】
前記従来の課題を解決するために、本発明の首掛け用照明装置は、電源である電池と、前記電池を保持する電池保持部と、照射用の光源と、照射用の光源を保持する光源保持部と、首掛け用紐部と、前記電池保持部内にあり前記光源保持部を保持する固定部とから構成され、前記固定部を軸として前記光源保持部が回転すると共に、前記固定部と前記光源保持部にそれぞれ設けられた導電板が回転角度の一定の範囲で接触することにより電源をオンすることを特徴とするものである。
【０００７】
本構成によって、使用者が服装や取りつけ場所を選ばずに首に掛けて使用することができ、光源保持部を回転させることにより照射角度を設定すると同時に電源をオンにすることを可能にした優れた首掛け用照明装置を提供することができる。
【０００８】
この際に、光源としてＬＥＤを用いると省電力で高輝度を得ることができる。
【０００９】
また、光源保持部が固定部を軸として３６０度回転可能にすることで、あらゆる角度に光源を照射することができる。
【００１０】
また、首掛け用紐部に軟質素材を使用すると、使用者による使用感が良好となる。
【００１１】
また、首掛け用紐部が電池保持部を包み込むように配置することで防水効果を高めることができる。さらに、光源保持部の回転角度に応じて光源の明るさを可変とすることで、使用者に都合の良い光量を選択できる。
【発明の効果】
【００１２】
以上の説明から明らかなように、本発明は上記した構成により、使用者が服装に依存せず取りつけ場所を選ばずに首に掛けて使用することができ、光源保持部を回転させることにより照射角度を設定すると同時にスイッチをオンすることを可能にし使い勝手の向上を図ることができる照明装置を提供できる。
【発明を実施するための最良の形態】
【００１３】
以下本発明を実施するための最良の形態について、図１、図２を用いて説明する。
【００１４】
図1に示すように、大きく分けて、電池を収納する電池保持部１、光源であるＬＥＤを保持する光源保持部２、首にかけて使えるようにするための首かけ用紐部３の３ブロックで構成されている。首掛け用紐部３には軟質素材を用いると使用者の使用感が向上するので好ましい。軟質素材としては、エラストマー、シリコン、ＮＢＲ、ＣＲＥＤＰＭ等を用いることができる。
【００１５】
光源保持部２は、光源であるＬＥＤ部４と、ＬＥＤ部４からの２つの導通端子と接続されるスイッチ導通板５及び導通板Ａ６をＬＥＤケースＡ７及びＬＥＤケースＢ８で挟み込んで保持する構成である。電池保持部１はＬＥＤ部４の照射方向に対して垂直方向の軸を電池保持部１の電池ケースＡ９及び電池ケースＢ１０で挟み込み、ネジ１１で固定する構成であり、電池１２と光源保持部２との電気的な接続は、導通板Ｂ１３と導通板Ｃ１４で接続する。また、電池保持部１と光源保持部２との電気的接続は、導通板Ａ６と導通板Ｃ１４及びスイッチ導通板５と導通板Ｂ１３を接触させることで行う。首掛け用紐部３は電池保持部１を凹部に挿入し固定できる構成である。特許請求の範囲においては、電池ケースＡ９、電池ケースＢ１０や垂直方向の軸等の光源保持部２を保持する機構を総称して、固定部１５としている。
【００１６】
上記構成において動作を説明する。電池１２の挿入及び交換は、ネジ受け１６からネジ１７を外すことで首掛け用紐部３から電池保持部１を取り出して行う。光源保持部２はＬＥＤ部４の照射方向に対して固定部１５の垂直方向の軸を中心として垂直方向に３６０度回転でき、ＬＥＤ部４の照射角度を自由に調整できる。また、光源保持部２を回転させることでスイッチ導通板５も同期して回転し、その回転角度によりスイッチ導通板５と導通板B１３との接触の有無が発生する構成となっているため、光源保持部２の回転によって、電源スイッチのオン、オフが可能である。
【００１７】
例えば、スイッチ導通板５と導通板Ｂ１３が接触する角度を２６０°、接触しない角度を１００°と設定することで、光源保持部２が２６０°回転する範囲で電源オン、それ以外の１００°回転する範囲で電源ＯＦＦとすることができる。スイッチ導通板５と導通板Ｂ１３の接触範囲は、スイッチ導通板５の形状を変えることで、自由に設定が可能である。
【００１８】
また首かけ用紐部３に軟質素材を使うことにより、首かけ用紐部３の両端それぞれをリング形状と球状にするといった簡単な方法で、首に「かける」、「外す」の取り外し構造が低コストで実現できる。また、首掛け用紐部３が電池保持部１を包み込むような構成にすることで、防水性を高めることもできる。
【００１９】
このように本発明の実施例の首掛け用照明装置によれば、電池１２を保持する電池保持部１と照射用のＬＥＤ部４を保持する光源保持部２と電池保持部１を包み込むように配置した首掛け用紐部３から構成することで、光源保持部２に設けられたスイッチ導通板５と電池保持部１に設けられた導通板Ｂ１３が接触することにより、回転角度の一定の範囲でＯＮ、ＯＦＦすることが可能である。
【００２０】
光源保持部２の回転角度に応じて、光源の明るさを可変とすると、好みの光量を選択できる優れた効果を有する。例えば、スイッチ導電板５を２つ以上の導電板で構成し、それぞれの導電板に異なる抵抗等の電流制限部品を接続することで、各導電板に導電板Ｂ１３との接触によって、ＬＥＤの明るさを可変することができる。つまり、ＬＥＤ保持部２の回転角度によって、ＬＥＤの明るさを可変にすることができ、手元方向はやや暗く、足元の方向は明るくといった光量の使い分けができる。なお、導電板を３つ以上で構成すれば、さらに明るさの段階を増やせることは言うまでもない。
【産業上の利用可能性】
【００２１】
本発明にかかる首掛け用照明装置は、両手を解放し、使用者が服装に依存せず取りつけ場所を選ばずに首に掛けて使用することができ、ＬＥＤ保持部を回転させることにより照射角度を設定すると同時にスイッチをオンすることを可能にしたので、少しでも動きを少なくしオン、オフを繰り返し照射角度を決めたいルアー釣りや、夜間のウォーキング、暗いプレゼンテーション会場での手元照明等に活用すると有用である。
【図面の簡単な説明】
【００２２】
【図１】本発明に係る首掛け用照明装置を示す図
【図２】本発明の首掛け用照明装置の要部断面図
【符号の説明】
【００２３】
１  電池保持部
２  光源保持部
３  首掛け用紐部
４  ＬＥＤ部
５  スイッチ導通板
６  導電板
７  ＬＥＤケースＡ
８  ＬＥＤケースＢ
９  電池ケースＡ
１０  電池ケースＢ
１１  ネジ
１２  電池
１３  導電板Ｂ
１４  導電板Ｃ
１５  固定部
１６  ネジ受け
１７  ネジ
【図１】
2005243538.tif 000003
【図２】
2005243538.tif 000004